(57)【要約】  【課題】      釣竿の方向性を高めることのできる竿管を提供する。  【解決手段】  竿管１０は、プリプレグを巻くことによって構成された内側管体と、内側管体の外面に配置された補強層１６とを備えており、内側管体の外面に管軸方向へ延びる基準線Ｌを想定したとき、補強層１６は、基準線Ｌを挟んだ周方向の両側に均等に配置されている。したがって、竿管１０においては、基準線Ｌを挟んだ周方向の両側において強度の均衡が保たれることになり、基準線Ｌを釣竿の背または腹の中央に配置すると、釣竿を振ったときでも竿先が左右にぶれることはなく、魚を取り込む際に釣竿がぶれることもない。【選択図】      図２
2005102595.tif 000002
【特許請求の範囲】
【請求項１】
プリプレグを巻くことによって構成された管体と、前記管体の内面または外面に配置された補強層とを備える竿管であって、
前記管体に管軸方向へ延びる基準線を想定したとき、前記補強層は前記基準線を挟んだ周方向の両側に均等に配置されている、竿管。
【請求項２】
前記補強層は、管軸方向において量が変化するように構成されている、請求項１に記載の竿管。
【請求項３】
前記補強層は、管軸方向へ引き揃えられた複数の繊維に合成樹脂を含浸させたシートによって構成されている、請求項１または２に記載の竿管。
【発明の詳細な説明】
【技術分野】
【０００１】
本発明は、高強度繊維に合成樹脂を含浸させたプリプレグによって構成された釣竿用の竿管に関する。
【背景技術】
【０００２】
この種の竿管は、芯金の外面にプリプレグを重畳的に巻回し、これを加熱炉内で加熱してプリプレグを構成する合成樹脂を熱硬化させることにより得られる（特許文献１）。そして、従来、竿管の元側を先側に比べて硬くする場合には、図１７に示すように、プリプレグ１の面積を部分的に拡張し、その拡張部２で重畳数を増やすことによって竿管３の強度を部分的に増大させるようにしていた。
【特許文献１】特開平１０−２９１２６５号
【発明の開示】
【発明が解決しようとする課題】
【０００３】
従来技術（図１７）において、竿管３の先側に比べて元側が徐々に硬くなるようにしようとすると、拡張部２を三角形に形成する必要があった。そして、三角形の拡張部２を巻回すると、竿管３の周方向における強度にむらが生じるため、この竿管３で釣竿を構成すると、釣竿を振ったときの竿先が左右にぶれて方向が定まらなくなるという問題や、釣竿がぶれるために魚の取り込みが困難になるという問題があった。
【０００４】
それゆえに、この発明の主たる目的は、釣竿のぶれを解消することのできる、竿管を提供することである。
【課題を解決するための手段】
【０００５】
請求項１に記載した発明は、「プリプレグ２０を巻くことによって構成された管体１４と、管体１４の内面または外面に配置された補強層１６とを備える竿管１０であって、管体１４に管軸方向へ延びる基準線Ｌを想定したとき、補強層１６は基準線Ｌを挟んだ周方向の両側に均等に配置されている、竿管１０」である。
【０００６】
この発明では、基準線Ｌを挟んだ周方向の両側に補強層１６を均等に配置するようにしているので、基準線Ｌを挟んだ周方向の両側において強度の均衡が保たれる。
【０００７】
請求項２に記載した発明は、請求項１に記載した発明において、「補強層１６は、管軸方向において量が変化するように構成されている」ことを特徴とする。
【０００８】
この発明では、補強層１６の量を変化させることによって、竿管１０の硬さを管軸方向において変化させることができる。ここで、「補強層の量」とは、単位軸方向長さにおける補強層の重量を意味し、密度が同じであれば面積が広く厚みが厚いほど量が多くなり、面積や厚みが同じであれば、密度が高いほど量が多くなる。
【０００９】
請求項３に記載した発明は、請求項１または２に記載した発明において、「補強層１６は、管軸方向へ引き揃えられた複数の繊維に合成樹脂を含浸させたシートによって構成されている」ことを特徴とする。
【００１０】
この発明では、補強層１６を繊維集合体によって構成するようにしているので、軽量化できる。
【発明の効果】
【００１１】
請求項１〜３に記載した発明によれば、基準線を挟んだ周方向の両側において強度の均衡を保つようにしているので、基準線を釣竿の背または腹の中央に配置した状態では、釣竿のぶれを解消することができる。したがって、釣竿を真っ直ぐに振ることができ、また、魚を容易に取り込むことができる。なお、「釣竿の背」とは、釣竿を振る方向における後方に位置する部分をいい、「釣竿の腹」とは、前方に位置する部分をいうものとする（以下、同じ）。
【００１２】
請求項２に記載した発明によれば、補強層の量を管軸方向において変化させることによって、竿管の強度および剛性を管軸方向において調整でき、釣竿の用途に適した特性を得ることができる。
【００１３】
請求項３に記載した発明によれば、管軸方向へ延びる繊維によって補強層を構成しているので、補強層が合成樹脂シートである場合や、周方向へ延びる繊維をも含む場合に比べて竿管を軽量化できる。
【発明を実施するための最良の形態】
【００１４】
図１〜図３を参照して、本発明が適用された竿管１０は、図１０に示すような釣竿１２の一部を構成するものであり、内側管体１４，２つの補強層１６および外側管体１８によって構成されている。
【００１５】
内側管体１４は、周方向へ引き揃えられた複数の高強度繊維に合成樹脂を含浸させた内層２０ａと、管軸方向へ引き揃えられた複数の高強度繊維に合成樹脂を含浸させた外層２０ｂとを備えており、図４に示すような内層２０ａと外層２０ｂとを重ね合わせたプリプレグ２０を管状に巻回することにより構成されている。
【００１６】
各補強層１６は、管軸方向へ引き揃えられた複数の高強度繊維に合成樹脂を含浸させた高強度繊維シートであり、図５に示すように、竿管１０の先側から元側へ向けて面積が拡大するように三角形に形成されている。そして、図２（Ｂ）に示すように、内側管体１４または外側管体１８に管軸方向へ延びる基準線Ｌを想定したとき、この基準線Ｌを挟んだ周方向の両側に補強層１６が均等に配置されている。
【００１７】
外側管体１８は、管軸方向へ引き揃えられた複数の高強度繊維に合成樹脂を含浸させた内層２２ａと周方向へ引き揃えられた複数の高強度繊維に合成樹脂を含浸させた外層２２ｂとを備えており、図６に示すような内層２２ａと外層２２ｂとを重ね合わせたプリプレグ２２を管状に巻回することにより構成されている。
【００１８】
なお、内側管体１４，各補強層１６および外側管体１８を構成する各高強度繊維としては、炭素繊維，ガラス繊維およびアラミド繊維ならびにこれらの混合繊維等を例示でき、各高強度繊維に含浸される合成樹脂としては、エポキシ，ポリエステルおよびポリカーボネート等を例示できるが、これらに限定されるものではない。
【００１９】
竿管１０を製造する際には、まず、図７に示すように、芯金２４の外周面にプリプレグ２０（図４）を巻回して内側管体１４を形成する。また、図８に示すように、プリプレグ２２（図６）の内層２２ａに各補強層１６（図５）を配置する。そして、図９に示すように、内側管体１４の外周面にプリプレグ２２（図６）を巻回して外側管体１８を形成するとともに、内側管体１４と外側管体１８との間に各補強層１６を配置する。
【００２０】
このとき、内側管体１４を構成するプリプレグ２０の長辺どうしの重なり部２６ａと、外側管体１８を構成するプリプレグ２２の長辺どうしの重なり部２６ｂとは、互いに重なり合う位置、または、互いに対向する位置に配置され、基準線Ｌは、重なり部２６ａまたは２６ｂの位置またはこれらと対向する位置に設定される。そして、各補強層１６は、基準線Ｌを挟んだ周方向の両側で均等に配置される。これにより、基準線Ｌを挟んだ周方向の両側で強度の均衡が保たれることになる。
【００２１】
なお、内側管体１４および外側管体１８を形成する際に重なり部２６ａおよび２６ｂを設けない場合には、当然ながら、重なり部２６ａおよび２６ｂと基準線Ｌとの位置関係を考慮する必要はない。
【００２２】
このようにして竿管１０の形が完成すると、外側管体１８の外周面に図示しない樹脂テープを螺旋状に巻回し、全体を加熱炉へ入れて加熱焼成する。その後、全体を加熱炉から引き出して芯金２４を引き抜く。
【００２３】
竿管１０を用いて図１０に示すような釣竿１２を構成する際には、想定した基準線Ｌ（図２（Ｂ））を釣竿１２の背または腹の中央に位置決めする。すると、基準線Ｌを挟んだ周方向の両側に補強層１６が均等に配置されることになり、釣竿１２の背または腹を挟んだ周方向の両側において強度の均衡が保たれる。したがって、釣竿１２を振ったときでも竿先が左右にぶれることはなく、魚を取り込む際に釣竿１２がぶれることもない。
【００２４】
この実施例によれば、釣竿１２のぶれを防止しつつ、管軸方向における強度および剛性を変化させることができるので、釣竿１２の用途に適した特性を簡単に得ることができる。また、各補強層１６は、管軸方向へ引き揃えられた複数の繊維に合成樹脂を含浸させたシートであり、周方向へ引き揃えられた繊維を含まないため、竿管１０を軽量化できる。そして、三角形の補強層１６を用いているので、竿管１０の強度および剛性を先側から元側へ向かうにつれて徐々に高めることができる。
【００２５】
なお、上述の実施例では、２つの三角形の補強層１６を用いるようにしているが、補強層１６の数や形状は適宜変更可能であり、たとえば図１１に示すように、４つの補強層１６を用いるようにしてもよいし、円形の補強層（図示省略）を用いるようにしてもよい。また、図１２に示すように、補強層１６の長さをプリプレグ２２（竿管１０）の長さよりも短く設定してもよいし、図１３に示すように、補強層１６の間で長さを変えるようにしてもよい。さらに、図１４に示すように、複数の補強層１６を長手方向に間隔を隔てて配置してもよい。
【００２６】
また、上述の実施例では、補強層１６の量（すなわち単位軸方向長さにおける重量）を、面積を変えることによって変化させるようにしているが、これを厚みや密度（繊維密度）を変えることによって変化させるようにしてもよい。これらの場合でも、竿管１０の強度および剛性を管軸方向において調整することができるので、釣竿１２の用途に適した特性を得ることができる。なお、補強層１６の厚みは、補強層１６の積層数（巻数）を変えることによっても調整可能である。
【００２７】
また、上述の各実施例では、補強層１６を「管軸方向へ引き揃えられた複数の繊維に合成樹脂を含浸させたシート」として構成しているが、補強層１６を「通常の樹脂シート」，「周方向へ引き揃えられた複数の繊維に合成樹脂を含浸させたシート」または「管軸方向へ引き揃えられた複数の繊維と周方向へ引き揃えられた複数の繊維とに合成樹脂を含浸させたシート」として構成してもよい。
【００２８】
そして、上述の実施例では、２層に積層された管体１４および１８の間に補強層１６を配置するようにしているが、図１５または図１６に示すように、管体および補強層１６の積層数や補強層１６の積層位置は適宜変更してもよい。ただし、これらの場合でも、基準線Ｌを挟んだ周方向の両側で強度の均衡を保つために、プリプレグの重なり部２６の位置を十分に考慮して基準線Ｌを設定する必要がある。
【００２９】
さらに、本発明は、釣竿用の竿管１０の他、ゴルフクラブのシャフト等のようなプリプレグを巻回することによって構成されるあらゆる管状体に適用可能である。
【図面の簡単な説明】
【００３０】
【図１】竿管を示す斜視図である。
【図２】竿管を示す平面図および正面図である。
【図３】図２（Ｂ）におけるIII-III線断面図である。
【図４】内側管体を構成するプリプレグを示す図（一部破断）である。
【図５】補強層を示す図である。
【図６】外側管体を構成するプリプレグを示す図（一部破断）である。
【図７】内側管体の形成工程を示す斜視図である。
【図８】プリプレグに対する補強層の配置工程を示す斜視図である。
【図９】外側管体の形成工程を示す斜視図である。
【図１０】竿管を用いて構成した釣竿を示す図である。
【図１１】補強層の変形例（数）を示す図である。
【図１２】補強層の変形例（長さ）を示す図である。
【図１３】補強層の変形例（長さ）を示す図である。
【図１４】補強層の変形例（配置）を示す図である。
【図１５】管体の積層数が１層である竿管を示す模式図である。
【図１６】管体の積層数が３層である竿管を示す模式図である。
【図１７】従来技術を示す斜視図である。
【符号の説明】
【００３１】
１０  竿管
１２  釣竿
１４  内側管体
１６  補強層
１８  外側管体
２０，２２  プリプレグ
２４  芯金
２６，２６ａ，２６ｂ  重なり部
【図１】
2005102595.tif 000003
【図２】
2005102595.tif 000004
【図３】
2005102595.tif 000005
【図４】
2005102595.tif 000006
【図５】
2005102595.tif 000007
【図６】
2005102595.tif 000008
【図７】
2005102595.tif 000009
【図８】
2005102595.tif 000010
【図９】
2005102595.tif 000011
【図１０】
2005102595.tif 000012
【図１１】
2005102595.tif 000013
【図１２】
2005102595.tif 000014
【図１３】
2005102595.tif 000015
【図１４】
2005102595.tif 000016
【図１５】
2005102595.tif 000017
【図１６】
2005102595.tif 000018
【図１７】
2005102595.tif 000019